(57)【特許請求の範囲】
【請求項１】
集成材を使用した二枚の板状柱材（１）を用いて形成する柱（２）と、同じく集成材を使用した二枚の板状梁材（３）を用いて形成する梁（４）と、二枚の板状柱材（１）間に挟み込んで該柱材（１）と締結するプレート部（１３）の両側に側板（１４）と下部に基礎（８）への固定部（１１）を設けた鋼板製の柱脚接合金具（６）と、二枚の板状柱材（１）間に挟み込んで該柱材（１）と締結するプレート部（１９）に板状梁材（３）間に挟み込んで該梁材（３）と締結する梁締結プレート部（２１）及び梁締結プレート部（２１）の上下に水平板（２２）を設けた鋼板製の柱梁接合金具（７）とを用い、基礎（８）上に固定した柱脚接合金具（６）のプレート部（１３）に二枚の板状柱材（１）の下部を、両側の側板（１４）間に納まる状態で締結して柱（２）を立設し、この柱（２）の板状柱材（１）間にプレート部（１９）を締結した柱梁接合金具（７）の梁締結プレート部（２１）に二枚の板状梁材（３）を、上下の水平板（２２）間に納まる状態で締結するようにした木造建築の柱と梁の仕口工法。
【発明の詳細な説明】
【０００１】
【発明の属する技術分野】
この発明は、木造建築の軸組みにおける柱と梁の仕口工法に関する。
【０００２】
【従来の技術】
例えば、従来の３階建の木造建築における軸組みは、コンクリート基礎上に土台を敷設し、この土台上に角軸材を用いた柱を立設し、この柱は必要な高さに継ぎ足すと共に、柱間の所定高さ位置に角軸材を用いた各階用の梁を架け渡し、柱間と梁間の対角位置に補強用の筋交いを設けることによって構築されている。
【０００３】
上記柱の継ぎ足しは、上下の柱材に添え木を当てがい、この柱材と添え木をボルトで締結する継手により接続していると共に、土台と柱、柱と梁を結合する仕口構造は、ほぞとほぞ溝による結合が一般的であり、補強のために各種金物が併用されている。
【０００４】
【発明が解決しようとする課題】
ところで、原木から切り出した木材は外部圧力を受けると剪断破壊するという性質があり、このような木材を用いた従来の軸組みは、どうしても強度的に限界があり、筋交い等による補強を施す必要があるため、軸組みの構造が複雑となり、コスト的にも高くつくという問題がある。
【０００５】
そこでこの発明の課題は、軸組みの構成に集成材を用い、しかも仕口を鋼製化することにより、軸組み構造の簡略化と強度の向上が図れ、木造建築の３階建を低コストで実現できる柱と梁の仕口工法を提供することにある。
【０００６】
【課題を解決するための手段】
上記のような課題を解決するため、この発明は、集成材を使用した二枚の板状柱材を用いて形成する柱と、同じく集成材を使用した二枚の板状梁材を用いて形成する梁と、二枚の板状柱材間に挟み込んで該柱材と締結するプレート部の両側に側板と下部に基礎への固定部を設けた鋼板製の柱脚接合金具と、二枚の板状柱材間に挟み込んで該柱材と締結するプレート部に板状梁材間に挟み込んで該梁材と締結する梁締結プレート部及び梁締結プレート部の上下に水平板を設けた鋼板製の柱梁接合金具とを用い、基礎上に固定した柱脚接合金具のプレート部に二枚の板状柱材の下部を、両側の側板間に納まる状態で締結して柱を立設し、この柱の板状柱材間にプレート部を締結した柱梁接合金具の梁締結プレート部に二枚の板状梁材を、上下の水平板間に納まる状態で締結するようにした構成を採用したものである。
【０００８】
【発明の実施の形態】
以下、この発明の実施の形態を図示例と共に説明する。
図示のように、木造建築の軸組み構造は、二枚の板状柱材１、１を用いて形成する柱２と、同じく二枚の板状梁材３、３を用いて形成する梁４と、柱２間に設ける桁材５と、上記柱２の下部を基礎へ固定する鋼板製の柱脚接合金具６と、該柱２と梁４を締結する鋼板製の柱梁接合金具７とを用いて構築され、上記二枚の板状柱材１、１と二枚の板状梁材３、３は各々帯板状の集成材を用いて形成されている。
【０００９】
図６は、基礎８へ柱２を固定する鋼板製の柱脚接合金具６を示し、底板９上に断面Ｈ形の脚部１０が立設され、基礎８へ埋設する固定部１１と、この固定部１１の上端に設けた上板１２の上面に起立し、板状柱材１と等しい幅を有し、二枚の板状柱材１、１間に挟み込んで該柱材１、１と締結するプレート部１３と、該プレート部１３の両側に設けた側板１４とで構成され、固定部１１の底板９には、基礎８のアンカーと締結するためのボルト孔１５が穿設され、脚部１０の外面にアンカーボルト１６が固定されている。
【００１０】
また、プレート部１３に二枚の板状柱材１、１とボルトで締結するためのボルト孔１７が、側板には板状柱材１、１と固定化するための釘の打ち込み孔１８が各々穿設されている。
【００１１】
図７（Ａ）は、柱２と１階及び２階の梁４を結合するために用いる柱梁接合金具７を示し、二枚の板状柱材１、１間に挟み込むプレート部１９の一方側縁に垂直板２０を設け、該垂直板２０の外面に、二枚の板状梁材３、３間に挟み込む梁締結プレート部２１を設け、該梁締結プレート部２１の上下に水平板２２を設けて形成され、上記プレート部１９に板状柱材１、１と締結するためのボルト孔２３が、また、梁締結プレート部２１に板状梁材３、３と締結するためのボルト孔２４がそれぞれ設けられ、水平板２２には板状梁材３、３と締結する釘の打ち込み孔２５が穿設されている。
【００１２】
図７（Ｂ）は、柱２の上端と３階の梁４を結合するために用いる柱梁接合金具７ａを示し、基本的な構造は上記した柱梁接合金具７と同じであるが、垂直板２０と上部水平板２２を一枚の鋼板から折り曲げ形成している。
【００１３】
図７（Ｃ）は、柱２の中間の継ぎ足しに用いる接続プレート２６を示し、板状柱材１、１と等しい幅の鋼板を用い、板状柱材１、１と締結するためのボルト孔２７を設けた構造になっている。
【００１４】
図８は、柱２と桁材５の結合構造を示し、柱２と梁４を結合するために用いる柱梁接合金具７を締結するボルト２８を用いて柱２に固定する柱桁接合金具２９が鋼板を用いて平面コ状に形成され、桁材５の端部に柱桁接合金具２９の対向板３０へ嵌挿する２本のスリット３１を設け、桁材５の端部と柱桁接合金具２９を複数本のピン３２で結合するようになっている。
【００１５】
次に、軸組み構造の構築工法を説明する。
図１のように、コンクリートを用いて構築した基礎８の柱２を立設する位置に、柱脚接合金具６を固定部１１の埋設によって配置し、この柱脚接合金具６上に柱２を立設する。柱２は、二枚の板状柱材１、１を対向させ、上下の板状柱材１、１を接続プレート２６とボルトを用いて接続することにより、３階分の高さになっていると共に、この柱２の梁結合位置には、柱梁接合金具７が予め固定されている。
【００１６】
柱２の下端の柱脚接合金具６への固定は、プレート部１３を二枚の板状柱材１、１で挟み、ボルトによる重なり部分の締め付けと釘の打ち込みによって締結する。
【００１７】
また、柱２に対する柱梁接合金具７、７ａの固定は、二枚の板状柱材１、１間にプレート部１９を挿入し、この挿入部分をボルトで締結すればよい。
【００１８】
次に、図２のように、立設した柱２の対向する柱梁接合金具７、７ａ間でプレート部２１を挟む両面側に二枚の板状梁材３、３を配置し、該板状梁材３、３の端部をプレート部２１に重ね、この重なり部分をボルトと釘で締結し、二枚の板状梁材３、３の中間部は、スペーサ３３を挟んでボルトで結合する。
【００１９】
また、柱２に柱梁接合金具７、７ａを固定するとき、この柱２の桁材結合面に柱桁接合金具２９を固定しておき、柱２間に配置した桁材５の両端を柱桁接合金具２９にピン３２で結合する。
【００２０】
これによって、図３乃至図５に示したように、３階建ての木造建築の軸組が構築でき、柱２は二枚の板状柱材１、１を対向させた構造であるため、その対向面間にプレート部１３、１９等の板厚に見合う隙間ができ、梁４の場合も同様の隙間ができ、これらの隙間は、断熱材や他の集成材で埋めるようにしてもよい。
【００２１】
上記軸組構造は、柱２及び梁４を二枚の集成材で形成したので、外部圧力による剪断破壊の問題が解消できると共に、基礎８上への柱２の固定と、柱２と梁４の結合、柱２と桁材５の結合に鋼板製の接合金具を用いたので、それぞれの仕口部分の結合強度が向上し、軸組構造は耐震強度に優れたものとなり、筋交い等の補強を省略できるので、軸組構造の簡略化が図れ、木造建築による３階建ての実用化が可能になる。
【００２２】
【発明の効果】
以上のように、この発明によると、集成材からなる二枚の板状柱材を用いて形成する柱と、同じく二枚の板状梁材を用いて形成する梁と、鋼板製の柱脚接合金具と、鋼板製の柱梁接合金具とを用い、基礎上に固定した柱脚接合金具のプレート部に二枚の板状柱材の下部を締結して柱を立設し、この柱の板状柱材間にプレート部を締結した柱梁接合金具の梁締結プレート部に二枚の板状梁材を締結するようにしたので、軸組構造の構成材における外部圧力による剪断破壊の問題が解消でき、しかも、それぞれの仕口部分の鋼製化により結合強度が向上し、これによって、軸組構造は耐震強度及び耐荷重強度に優れたものとなり、木造建築による３階建ての実用化が可能になる。
【００２３】
また、軸組構造は柱と梁の結合によって、十分な強度が得られ、筋交い等の補強を省略できるので、軸組構造の簡略化が図れ、コスト的にも有利になる。
【図面の簡単な説明】
【図１】基礎上に柱を立設した状態を示す分解斜視図
【図２】基礎上に立設した柱間への梁及び桁の結合を示す分解斜視図
【図３】基礎上に軸組構造を構築した状態を示す斜視図
【図４】基礎上に軸組構造を構築した状態を示す正面図
【図５】基礎上に軸組構造を構築した状態を示す側面図
【図６】基礎上に柱を固定する柱脚接合金具の斜視図
【図７】（Ａ）は柱と梁を結合する柱梁接合金具の斜視図、（Ｂ）は柱と梁を結合する柱梁接合金具の斜視図、（Ｃ）は柱の継ぎ足しに用いる接続プレートの斜視図
【図８】柱と桁の結合構造を示す分解斜視図
【符号の説明】
１  板状柱材
２  柱
３  板状梁材
４  梁
５  桁材
６  柱脚接合金具
７  柱梁接合金具
７ａ  柱梁接合金具
８  基礎
【図１】
0004008566.tif 000002
【図２】
0004008566.tif 000003
【図３】
0004008566.tif 000004
【図４】
0004008566.tif 000005
【図５】
0004008566.tif 000006
【図６】
0004008566.tif 000007
【図７】
0004008566.tif 000008
【図８】
0004008566.tif 000009